(57)【要約】【課題】  内引出しを引出しとは別に引き出すことができるとともに、安価につくキャビネットを提供すること。【解決手段】  キャビネット本体２１と、キャビネット本体２１の内部から引出し用開口２１ｅを通って外部に進退可能になった引出し２２と、キャビネット本体２１の内部から引出し用開口２１ｅを介して外部に進退可能になり引出し２２よりも前後方向の長さが短い内引出し２３とを備えたキャビネット２０を形成した。そして、内引出し２３の前端に下方に突出する下端部２３ｇとダンパー２６とからなる前側突出部を設け、内引出し２３の後端に下方に突出する後側突出部２７を設けた。また、引出し２２の後端には、上方に突出しダンパー２６に当接可能な係合片２５を設け、この係合片２５と後側突出部２７に当接可能な後面板２２ｃとで後側係合部を構成した。【選択図】  図３
2014133051.tif 000002
【特許請求の範囲】
【請求項１】
内部に下側軌道形成部と上側軌道形成部とが上下に設けられ、前面に引出し用開口が設けられたキャビネット本体と、
前記下側軌道形成部に沿って移動することにより前記キャビネット本体の内部から前記引出し用開口を通って外部に進退可能になった引出しと、
前記引出しの上方に配置され前記上側軌道形成部に沿って移動することにより前記キャビネット本体の内部から前記引出し用開口を通って外部に進退可能になり前記引出しよりも前後方向の長さが短い内引出しと、
前記内引出しの下面における前端から下方に突出する前側突出部と、
前記内引出しの下面における後端から下方に突出する後側突出部と、
前記引出しの後端または後端近傍に備わって、前記引出しが前記キャビネット本体から外部に引き出されるときに前記前側突出部に当接して前記内引出しを前方に移動させ、前記引出しが前記キャビネット本体内に押し込まれるときに前記後側突出部に当接して前記内引出しを後方に移動させる後側係合部と
を備えたことを特徴とするキャビネット。
【請求項２】
前記内引出しの前面を構成する前面板の下端を前記内引出しの底面よりも下方に延ばして前側突出片を形成するとともに、前記前側突出片の後面に前側衝撃緩和部を設け、前記前側突出片と前記前側衝撃緩和部とで前記前側突出部を構成した請求項１に記載のキャビネット。
【請求項３】
前記内引出しの後端部から下方に突出する後側突出片を設けるとともに、前記後側突出片の前面に後側衝撃緩和部を設け、前記後側突出片と前記後側衝撃緩和部とで前記後側突出部を構成した請求項１または２に記載のキャビネット。
【発明の詳細な説明】
【技術分野】
【０００１】
本発明は、鍋やフライパン等の各種の物品を収容するための引出しを備えたキャビネットに関する。
【背景技術】
【０００２】
従来から、システムキッチンには、シンクや加熱調理器等が設けられた複数のキャビネットを組み付けて構成されたものがあり、このようなキャビネットの中に、内引出しを備えたキャビネットがある（例えば、特許文献１参照）。このキャビネットは、コンロキャビネットとシンクキャビネットとの間に設置されている。また、このキャビネットの内部には、引出し（外引出し）と、その引出しの上方近傍に配置された内引出しや内引出しを含まない引出しが設けられている。
【０００３】
そして、各引出しや内引出しは、レールに沿って進退することによりキャビネットの本体の内部と外部との間で進退できるようになっている。また、引出しの後端にはマグネットが取り付けられ、内引出しの後端におけるマグネットに対向する位置に、金属板からなるマグネット受けが取り付けられており、このマグネットとマグネット受けとの吸着により内引出しは引出しと一体となって移動する。また、引出しの移動範囲は、内引出しの移動範囲よりも長くなっている。このため、引出しを引き出す途中において、引出しストロークの短い内引出しを、引出しから離すことができ、引出しをキャビネットの本体から引き出した状態で、内引出しをキャビネットの本体内に押し込むことができる。
【先行技術文献】
【特許文献】
【０００４】
【特許文献１】特開２００６−２３０６７６号公報
【発明の概要】
【０００５】
しかしながら、前述した従来のキャビネットでは、マグネットとマグネット受けとの吸着により内引出しは引出しと一体となって移動するため、引出しに収容された物を使用する場合でも、内引出しが引出しと同時に引き出される。このため、引出しの内部が見え難くなるという問題や、引出しに収容された物を取り出す場合に、一旦引き出された内引出しをキャビネットの本体内に押し込まなければならないという問題が生じる。また、マグネットを用いるため、価格が高くなるという問題も生じる。
【０００６】
本発明は、前述した問題に対処するためになされたもので、その目的は、内引出しを引出しとは別に引き出すことができるとともに、内引出しと連動できる引出しを安価に提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係るキャビネットの構成上の特徴は、内部に下側軌道形成部（２４）と上側軌道形成部（２４ａ）とが上下に設けられ、前面（２１ａ）に引出し用開口（２１ｅ）が設けられたキャビネット本体（２１）と、下側軌道形成部に沿って移動することによりキャビネット本体の内部から引出し用開口を通って外部に進退可能になった引出し（２２）と、引出しの上方に配置され上側軌道形成部に沿って移動することによりキャビネット本体の内部から引出し用開口を通って外部に進退可能になり引出しよりも前後方向の長さが短い内引出し（２３）と、内引出しの下面における前端から下方に突出する前側突出部（２３ｇ，２６）と、内引出しの下面における後端から下方に突出する後側突出部（２７）と、引出しの後端または後端近傍に備わって、引出しがキャビネット本体から外部に引き出されるときに前側突出部に当接して内引出しを前方に移動させ、引出しがキャビネット本体内に押し込まれるときに後側突出部に当接して内引出しを後方に移動させる後側係合部（２２ｃ、２５）とを備えたことにある。
【０００８】
本発明に係るキャビネットでは、引出しが下側軌道形成部に沿って移動することにより、キャビネット本体の内部から外部に進退可能になり、内引出しが上側軌道形成部に沿って移動することにより、キャビネット本体の内部から外部に進退可能になっている。そして、内引出しの下面前端に前側突出部が設けられ、引出しの後端または後端近傍に後側係合部が設けられている。ここで、後側係合部が設けられる引出しの後端近傍とは、引出しの前面板の上端を通って底面板と後面板とで形成される入り隅部を通る仮想平面を設置したとき、この仮想平面と後面板の上端に位置する仮想水平面との交線よりも後側の領域を言う。このため、引出しと内引出しとがキャビネット本体内に収容された状態から引出しを外部に引き出していくと、始めは引出しだけが移動して、内引出しは静止した状態を維持する。このため、引出しを引き出しながら引出しの内部の収容物を見ることができる。また、引出しを全て引き出しても引出しが内引出しで隠れないので、内部の収容物を確認できる。
【０００９】
そして、引出しの後端が内引出しの前端に近づいて後側係合部が前側突出部に当接すると、内引出しが移動し始めて、それ以後、内引出しは引出しとともに前方に移動する。このときに、内引出しが引出しに引っ張られて移動するときの移動距離は、引出しが外部に出きったときに内引出しの前端がキャビネット本体の前面またはそれよりも僅かに前方に位置するまでの距離に設定しておけばよい。内引出しの前端がキャビネット本体の前面またはそれよりも僅かに前方に位置すると、内引出しを手で操作することができる。このため、引出し内の収容物を使用する場合には、それを取り出して使用することができる。また、内引出し内の収容物を使用する場合には、さらに、内引出しを引き出して引出しの上方に位置させることにより、内引出し内の収容物を取り出して使用することができる。
【００１０】
また、内引出しの下面後端には、引出しに備わっている後側係合部に当接可能な後側突出部が設けられている。このため、内引出しは、後側突出部が後側係合部に当接するまで前方に引き出すことができる。また、引出しと内引出しとをキャビネット本体の内部に収容する場合には、引出しをキャビネット本体内に押し込むことにより、後側係合部が後側突出部を押して、内引出しは引出しとともにキャビネット本体内に移動していく。
【００１１】
この場合、最初から後側係合部と後側突出部とが当接していれば、内引出しは引出しと一緒に移動し、後側係合部と後側突出部とが離れていれば、引出しが移動して後側係合部が後側突出部に当接するまでは内引出しは静止して、後側係合部が後側突出部に当接したのちに、内引出しは引出しと一緒に移動し始める。すなわち、内引出しが引き出されるときには、後側係合部の前面が内引出しの前側突出部に当接し、内引出しが押し込まれるときには、後側係合部の後面が内引出しの後側突出部に当接する。このように、前側突出部や後側突出部に、後側係合部を当接させるだけで、内引出しを連動できるので、マグネットのような高価な部材を用いる必要が無くなるため安価である。
【００１２】
また、引出しの後端または後端近傍に後側係合部が位置して、内引出しの後端に後側突出部が位置し、内引出しの前後方向の長さが引出しよりも短くなっているため、引出しと内引出しとがどのように位置していても、引出しの前部の上方には内引出しが位置しなくなる。このため、引出しの前部には、一升瓶のように高さが高いものを収容し、引出しの後部には高さの低いものを収容することができる。また、内引出しには、フライパンやなべの柄が内引出しの前端から前方に突出するようにして収容することができる。この場合、引出しの前面を構成する前面板の後面（内面）に、板状またはシート状の保護部を取り付けておくことが好ましい。
【００１３】
また、本発明に係る下側軌道形成部と上側軌道形成部とは、レール部材で構成してもよいし、レールをガイドするローラや棒状のガイド部材等で構成してもよい。さらに、引出しの後側係合部は、一体からなる一部品で構成してもよいし、複数部品で構成してもよい。例えば、後側係合部を、一部品で構成する場合には、引出しの後面板の上端部を上方に延ばして、内引出しの前側突出部や後側突出部に当接させることができる。また、内引出しの前側突出部や後側突出部を引出しの後面板に当接できる位置まで延ばしてもよい。後側係合部を、複数部品で構成する場合には、引出しの後端から上方に向けて板状部材を延ばすことにより、内引出しの前側突出部と当接して内引出しを前方に移動させる後側係合片を形成するとともに、引出しの後面板で内引出しの後側突出部を当接させて内引出しを押し込むようにさせてもよい。
【００１４】
本発明に係るキャビネットの他の構成上の特徴は、内引出しの前面を構成する前面板（２３ａ）の下端を内引出しの底面よりも下方に延ばして前側突出片（２３ｇ）を形成するとともに、前側突出片の後面に前側衝撃緩和部（２６）を設け、前側突出片と前側衝撃緩和部とで前側突出部を構成したことにある。
【００１５】
本発明によると、引出しをキャビネット本体から引出す際に、引出しを強く引っ張って後側係合部が前側突出部に勢いよく衝突しても、前側突出部の後部が前側衝突緩和部で構成されているため、その衝撃は前側衝突緩和部によって緩衝される。このため、後側係合部と前側突出部とが繰り返し衝突しても、引出しや内引出しに破損が生じ難くなる。また、内引出しの前面板を下方に延ばすことによって、前側突出片を形成するため、前側突出片を形成するために別途、部材を設ける必要がなくなる。
【００１６】
本発明に係るキャビネットのさらに他の構成上の特徴は、内引出しの後端部から下方に突出する後側突出片（２７ａ）を設けるとともに、後側突出片の前面に後側衝撃緩和部（２７ｂ）を設け、後側突出片と後側衝撃緩和部とで後側突出部を構成したことにある。
【００１７】
本発明によると、引出しをキャビネット本体内に押し込む際に、引出しを強く押して後側係合部が後側突出部に勢いよく衝突しても、後側突出部の前部が後側衝突緩和部で構成されているためその衝撃は後側衝突緩和部によって緩衝される。このため、後側係合部と後側突出部とが繰り返し衝突しても、引出しや内引出しに破損が生じ難くなる。また、キャビネット本体の後面板と内引出しとの間にも衝撃緩和部を設けておくことが好ましい。これによると、勢いよく後退した内引出しがキャビネット本体の後面板に強く衝突することを防止できる。
【図面の簡単な説明】
【００１８】
【図１】本発明の一実施形態に係るキャビネットを備えたシステムキッチンを示した斜視図である。
【図２】引出しと内引出しとが収容された状態のキャビネットを示した断面図である。
【図３】係合部がダンパーに当接するまで引出しを引き出した状態のキャビネットを示した断面図である。
【図４】引出しを出し切った状態のキャビネットを示した断面図である。
【図５】引出しと内引出しとが引き出された状態のキャビネットを示した断面図である。
【図６】引出しと内引出しとを収容していく状態のキャビネットを示した断面図である。
【図７】引出しの後端が後側突出部に当接するまで引出しを押し込んだ状態のキャビネットを示した断面図である。
【発明を実施するための形態】
【００１９】
以下、本発明の一実施形態に係るキャビネットを図面を用いて詳しく説明する。図１は、同実施形態に係るキャビネット２０を備えたシステムキッチン１０を示している。このシステムキッチン１０は、正面から見た状態で、キャビネット２０の左側にコンロキャビネット１１を組み付け、キャビネット２０の右側にシンクキャビネット１２を組み付け、さらにシンクキャビネット１２の右側に食器洗浄乾燥機キャビネット１３を組み付けて構成されている。
【００２０】
そして、システムキッチン１０の上面部はカウンター１４で構成されており、コンロキャビネット１１の上部におけるカウンター１４の部分には、コンロ台１５が設けられ、シンクキャビネット１２の上部におけるカウンター１４の部分には、水栓１６ａを備えたシンク１６が設けられている。また、コンロキャビネット１１には引出し１１ａが設けられ、シンクキャビネット１２には引き出し１２ａ，１２ｂが設けられている。そして、食器洗浄乾燥機キャビネット１３には食器洗浄乾燥機が内臓されている。
【００２１】
なお、以下の説明において、前後、左右、上下の各方向は、図１に基づいたものとし、図１の手前（正面）側を前方、奥側を後方とする。キャビネット２０は、図２ないし図７に示したように、キャビネット本体２１、引出し２２、内引出し２３、下部引出し３１および上部引出し３２で構成されている。キャビネット本体２１は、前面板２１ａ、左右の側面板２１ｂ（一方しか図示せず）、後面板２１ｃおよび底面板２１ｄを箱状に組み付けて構成されており、前面板２１ａの下方には大きな引出し用開口２１ｅが形成されている。
【００２２】
左右の側面板２１ｂの下方部には、引出し２２に対応して互いに平行して前後に延びる一対の下側レール支持部２４（一方しか図示せず）が設けられている。また、下側レール支持部２４の上方で左右の側面板２１ｂには、内引出し２３に対応して互いに平行して前後に延びる一対の上側レール支持部２４ａ（一方しか図示せず）が設けられている。下側レール支持部２４と、上側レール支持部２４ａとはそれぞれ断面形状がコ字状のレール部材とローラとを組み付けて形成されており、下側レール支持部２４で、本発明に係る下側軌道形成部が構成され、上側レール支持部２４ａで、本発明に係る上側軌道形成部が構成される。
【００２３】
引出し２２は、本発明に係る引出しを構成するもので、前面板２２ａ、左右の側面板２２ｂ（一方しか図示せず）、後面板２２ｃおよび底面板２２ｄを箱状に組み付けて本体部分が構成され、その本体部分に、一対のガードパイプ２２ｅと係合片２５とが設けられている。前面板２２ａは、前面が化粧面に形成された正面視が略正方形の板で構成されており、後面には保護プレート４０が取り付けられている。この保護プレート４０は、内引出し２３に収納したフライパンや鍋の柄が前面板２２ａに当たり前面板２２ａが傷つくことを防止する。この保護プレート４０は、ポリエチレン製の四角形の板からなっており、四隅がねじによって前面板２２ａに固定されている。なお、この保護プレートは前面板２２ａの後面の高さ方向中間部に設置され、前面板２２ａの一部を覆っているが、前面板２２ａの全体を覆うようにしてもよい。また、前面板２２ａの前面における上部には、左右に延びる凹部からなる取っ手２２ｇが形成されている。
【００２４】
後面板２２ｃは、左右の幅が前面板２２ａよりも短く、高さが前面板２２ａの１／２よりもやや低い長方形の板で構成されている。この後面板２２ｃと係合片２５とで本発明に係る後側係合部が構成される。側面板２２ｂは、高さが後面板２２ｃの略１／２程度で、前後の長さが側面板２１ｂよりも少し短くなっている。この側面板２２ｂの左右両側面の下部には、下側レール支持部２４に摺動可能に係合する下側レール２２ｆがそれぞれ設けられている。また、底面板２２ｄは、前面板２２ａ、左右の側面板２２ｂおよび後面板２２ｃで形成される枠体の下端開口を塞げる大きさの板で構成されている。
【００２５】
ガードパイプ２２ｅは、引出し２２の左右両側に設けられており、一方のガードパイプ２２ｅは、後面板２２ｃの上端左端と前面板２２ａの左端における上下方向の中央近傍部分とに掛け渡され、他方のガードパイプ２２ｅは、後面板２２ｃの上端右端と前面板２２ａの右端における上下方向の中央近傍部分とに掛け渡されている。この一対のガードパイプ２２ｅは、互いに平行するとともに高さを一定にして前後方向に延びている。係合片２５は、細長い金属板で構成されており、下端部が後面板２２ｃの左右方向の中央部に固定されて上端部が内引出し２３の近傍まで延びている。この係合片２５と後面板２２ｃで本発明に係る後側係合部が構成される。
【００２６】
内引出し２３は、左右の幅が引出し２２の前面板２２ａを除いた部分と同じで、前後および上下の長さがそれぞれ引出し２２よりも短くなっている。また、内引出し２３は、引出し２２とともにキャビネット本体２１内に収容されたときに引出し２２の上部空間に位置（図２参照）するように設置されており、引出し２２とは独立して移動可能になっている。この内引出し２３は、前面板２３ａ、左右の側面板２３ｂ（一方しか図示せず）、後面板２３ｃおよび底面板２３ｄを箱状に組み付けて本体部分が構成され、その本体部分に、一対のガードパイプ２３ｅ、ダンパー２６および後側突出部２７が設けられている。
【００２７】
前面板２３ａは、左右に長く上下に短い長方形の薄い板で構成されており、後面板２３ｃは、左右の幅が前面板２３ａと同じで、高さが前面板２３ａよりもやや低い長方形の薄い板で構成されている。そして、側面板２３ｂは、高さが後面板２３ｃの略１／２程度で、前後の長さが側面板２２ｂよりも短くなっている。この側面板２３ｂの左右両側面の下部には、上側レール支持部２４ａに摺動可能に係合する上側レール２３ｆがそれぞれ設けられている。
【００２８】
また、側面板２３ｂは、それぞれ前面板２３ａと後面板２３ｃとの上部に掛け渡されており、底面板２３ｄは、前面板２３ａ、左右の側面板２３ｂおよび後面板２３ｃで形成される枠体の下端開口を塞げる大きさの板で構成されている。また、前面板２３ａの下端部２３ｇは、底面板２３ｄの下面よりも下方に突出している。ガードパイプ２３ｅは、内引出し２３の左右両側に平行して設けられている。各ガードパイプ２３ｅは、側面板２３ｂの後部側部分から上方に延びた後に屈曲して前方に延びた部分と、側面板２３ｂの前部側部分から上方に延びて、前方に延びた部分の前端部に連結された部分とからなっており、略コ字状に形成されている。
【００２９】
ダンパー２６は、前面板２３ａの下端部２３ｇにおける左右方向の中央部分に設けられており、引出し２２の係合片２５に当接可能な位置に設置されている。このダンパー２６は、底面板２３ｄの下面に沿って延びており、下端部２３ｇの後面に固定され先端を後方に向けた筒状の本体と、筒状本体の内部に設けられ後方に向かって伸縮可能なばね部材を備えた伸縮部と、伸縮部の先端に設けられた円板状の当接部とで構成されている。なお、下端部２３ｇで、本発明に係る前側突出片が構成され、ダンパー２６で本発明に係る前側衝撃緩和部が構成される。また、下端部２３ｇとダンパー２６とで本発明に係る前側突出部が構成される。
【００３０】
後側突出部２７は、後面板２３ｃにおける左右方向の一方側に設けられており、引出し２２の後面板２２ｃに当接可能な状態で設置されている。この後側突出部２７は、後側突出片２７ａと衝撃緩和シート２７ｂとで構成されている。後側突出片２７ａは、細長い金属板で構成されており、上端部が底面板２３ｄに固定されて下端部が引出し２２の後面板２２ｃに当接できる位置まで延びている。
【００３１】
ここで、後側突出部２７は、正面視で係合片２５と重ならない位置に設けられている。内引出しの後側突出部２７と引出しの係合片が重ならないので、施工のときに引出しをキャビネット内に設置した後、内引出しをキャビネット内に設置し易い。また、衝撃緩和シート２７ｂは、ＥＰＤＭなどのゴム系材料を独立発泡させたスポンジ状のシートからなっており、シールによって後側突出片２７ａの前面に貼り付けられている。この衝撃緩和シート２７ｂで、本発明に係る後側衝撃緩和部が構成され、後側突出片２７ａと衝撃緩和シート２７ｂとで本発明に係る後側突出部が構成される。
【００３２】
以上のようにして、引出し２２と内引出し２３とを構成したため、引出し２２の前部の上方は、常時内引出し２３から開放された状態になり、図２に示したように、引出し２２と内引出し２３とがキャビネット本体２１内に収容されているときでも、引出し２２の前部には高さの高い物を収容することができる。このため、高さの高い収容物を収容するスペースに応じて、引出し２２と内引出し２３との前後方向の長さを設定することができる。すなわち、引出し２２における高さの高い収容物を収容するスペースの前後方向の長さと、内引出し２３の前後方向の長さとの合計長さが、引出し２２の前後方向の長さになる。
【００３３】
また、キャビネット本体２１の後面板２１ｃにおける内引出し２３の後面板２３ｃに対向する部分には、ダンパー２８が取り付けられている。このダンパー２８は、前述したダンパー２６と形状は異なっているが、基本的な構造は同じであり、後面板２１ｃの前面に固定された本体と、本体から前方に向かって伸縮可能なばね部材を備えた伸縮部と、伸縮部の先端に設けられた当接部とで構成されている。また、下部引出し３１は、引出し２２の下方で、レール支持部（図示せず）に沿って移動することにより、キャビネット本体２１の内部から外部に進退できるように設置され、上部引出し３２は、引出し２２の上方で、レール支持部（図示せず）に沿って移動することにより、キャビネット本体２１の内部から外部に進退できるように設置されている。
【００３４】
このようにキャビネット２０を構成したため、引出し２２、内引出し２３、下部引出し３１および上部引出し３２に、それぞれ好みの物を収容することができる。また、引出し２２の前部に、一升瓶のように高さが高いものを収容したり、内引出し２３に柄を前方に突出させてフライパンを収容したりすることができる。そして、引出し２２内の収容物を取り出す場合には、図２に示したように、引出し２２等のすべての引出しをキャビネット本体２１内に収容した状態から、取っ手２２ｇに指を入れて引出し２２を手前に引っ張る。これによって、引出し２２は、下側レール支持部２４に沿って移動し、引出し用開口２１ｅから外部に突出していく。
【００３５】
そして、図３に示したように、引出し２２の後端の係合片２５が内引出し２３のダンパー２６に当接すると、それまで静止していた内引出し２３は引出し２２と一緒に移動し始める。この内引出し２３は上側レール支持部２４ａに沿って移動する。そして、図４に示したように、引出し２２が前端まで出切ったときには、内引出し２３の前端面は、キャビネット本体２１の前面よりも僅かに前方に突出した状態になる。このとき、引出し２２の上方は大きく開放されているため、引出し２２内の収容物を取り出して使用することができる。
【００３６】
また、内引出し２３に収容された収容物を使用する場合には、図４に示した状態から前面板２３ａを持って、内引出し２３を手前に引っ張る。このとき、内引出し２３は、後側突出部２７が引出し２２の後面板２２ｃに当接するまで前方に移動できる。これによって、図５に示したように、内引出し２３の上方は開放された状態になり、内引出し２３内の収容物を取り出して使用することができる。
【００３７】
また、引出し２２を引き出す際に、引出し２２の移動の勢いで係合片２５がダンパー２６に強く当接しても、ダンパー２６によってその衝撃は緩和される。さらに、内引出し２３を引き出す際に、内引出し２３の移動の勢いで後側突出部２７が後面板２２ｃに強く当接しても、衝撃緩和シート２７ｂによってその衝撃は緩和される。また、引出し２２や内引出し２３が移動する際に、一升瓶やフライパンが搖動して前面板２２ａに衝突しても保護プレート４０によって前面板２２ａに傷がつくことが防止される。
【００３８】
引出し２２や内引出し２３からの収容物の取り出しが終了すると、引出し２２の前面板２２ａを後方に押して、引出し２２をキャビネット本体２１内に押し込む。このとき、図５に示したように、内引出し２３もキャビネット本体２１から引き出されていれば、図６に示したように、引出し２２と内引出し２３とは一緒に後退していく。また、図４に示したように、内引出し２３がキャビネット本体２１内に位置していれば、図７に示したように、後面板２２ｃが後側突出部２７に当接するまでは、引出し２２だけが後退し、後面板２２ｃが後側突出部２７に当接した後は、引出し２２と内引出し２３とが一緒に後退していく。そして、図２の状態に戻る。
【００３９】
この場合も、引出し２２が後退するときに、後面板２２ｃが後側突出部２７に強く当接しても、衝撃緩和シート２７ｂによってその衝撃は緩和される。また、内引出し２３がキャビネット本体２１の奥に押し込まれるときには、内引出し２３の後端部がダンパー２８に当接することによって、内引出し２３が衝撃を受けることを防止される。
【００４０】
このように、本実施形態に係るキャビネット２０では、引出し２２と内引出し２３とがキャビネット本体２１内に収容された状態から引出し２２を外部に引っ張っていくと、始めは引出し２２だけが移動して、内引出し２３は静止した状態を維持する。このため、引出し２２だけを引き出しながら引出し２２内の収容物を確認することができる。そして、引出し２２の後端が内引出し２３の前端に近づいて係合片２５がダンパー２６に当接すると、内引出し２３が移動し始めて、それ以後、内引出し２３は引出し２２とともに移動する。
【００４１】
このため、引出し２２内の収容物を使用する場合には、内引出し２３をキャビネット本体２１内に位置させ、引出し２２だけをキャビネット本体２１から引き出した状態で、その収容物を取り出して使用することができる。また、内引出し２３内の収容物を使用する場合には、引出し２２だけをキャビネット本体２１から引き出した状態から、さらに、内引出し２３を手前に引っ張ることにより、内引出し２３をキャビネット本体２１内から引出して、引出し２３内の収容物を取り出し使用することができる。
【００４２】
また、引出し２２と内引出し２３とをキャビネット本体２１内に収容する場合には、引出し２２をキャビネット本体２１内に押し込むことにより、引出し２２の後面板２２ｃが後側突出部２７を押すため、内引出し２３は引出し２２とともにキャビネット本体２１内に収容される。さらに、引出し２２の前面板２２ａの後面には、保護プレートが取り付けられている。このため、引出し２２の前部に一升瓶を収容したり、内引出し２３にフライパンを収容したりして、引出し２２や内引出し２３が移動する際に、一升瓶やフライパンが搖動して前面板２２ａに衝突しても、保護プレートによって前面板２２ａに傷がつくことが防止される。
【００４３】
また、前述した実施形態によると、引出し２２をキャビネット本体２１から引出す際に、引出し２２を強く引っ張って係合片２５がダンパー２６に勢いよく衝突しても、その衝撃はダンパー２６によって緩和される。このため、引出し２２や内引出し２３に破損が生じ難くなる。さらに、内引出し２３をキャビネット本体２１から引出す際に、内引出し２３を強く引っ張って後側突出部２７が引出し２２の後面板２２ｃに勢いよく衝突しても、その衝撃は、後側突出部２７の前面に位置する衝撃緩和シート２７ｂによって緩和される。これによっても、引出し２２や内引出し２３に破損が生じ難くなる。
【００４４】
また、引出し２２をキャビネット本体２１内に押し込む際に、引出し２２を強く押して引出し２２の後面板２２ｃが後側突出部２７に勢いよく衝突したときにも、その衝撃は衝撃緩和シート２７ｂによって緩和される。さらに、キャビネット本体２１の後面板２１ｃにおける内引出し２３に対向する部分にもダンパー２８が設けられているため、勢いよく後退した内引出し２３がキャビネット本体２１の後面板２１ｃに強く衝突することを防止できる。
【００４５】
また、本発明に係るキャビネットは、前述した実施形態に限定するものでなく、適宜、変更して実施することが可能である。例えば、前述した実施形態では、キャビネット本体２１の側面板２１ｂに設けた下側レール支持部２４で下側軌道形成部を構成し、引出し２２に下側レール２２ｆを設けているが、側面板２１ｂにレール部材を設け、引出し２２にレール支持部を設けてもよい。同様に、前述した実施形態では、キャビネット本体２１の側面板２１ｂに設けた上側レール支持部２４ａで上側軌道形成部を構成し、内引出し２３に上側レール２３ｆを設けているが、側面板２１ｂにレール部材を設け、内引出し２３にレール支持部を設けてもよい。
【００４６】
また、前述した実施形態では、係合片２５と引出し２２の後面板２２ｃとで後側係合部を構成しているが、係合片２５を省略して、後面板２２ｃの上端部を上方に延長してもよい。また、内引出し２３の後側突出部２７を、係合片２５に当接できる位置に設置することもでき、この場合、後側突出部２７の下端部は、係合片２５の上部に当接できる位置まで延びていればよい。さらに、係合片２５を省略して、前側突出部を後面板２２ｃに当接できる位置まで延ばしてもよい。この場合、前側突出部は、内引出し２３の側面側に設けることで、引出しの高さ方向の収納スペースが少なくなることを防ぐことができる。また、前述した実施形態では、内引出し２３の前面板２３ａを下方に延ばして下端部２３ｇからなる前側突出片を構成しているが、この前側突出片としては、前面板２３ａまたは底面板２３ｄに別部材を設けることによって構成してもよい。
【００４７】
さらに、ダンパー２６は、下端部２３ｇでなく係合片２５に設けてもよいし、衝撃緩和シート２７ｂは、後側突出片２７ａでなく引出し２２の後面板２２ｃに設けてもよい。また、ダンパー２８も、キャビネット本体２１の後面板２１ｃでなく内引出し２３の後部に設けてもよい。さらに、ダンパー２６，２８に代えて衝撃緩和シートを用いてもよいし、衝撃緩和シート２７ｂに代えてダンパーを用いてもよい。また、前述した実施形態では、引出し２２の本体を箱状に形成しているが、前面板２２ａと底面板２２ｄ以外の部分はガイドパイプや網状部材で構成して籠状に形成してもよい。内引出し２３も同様に、前面板２３ａと底面板２３ｄ以外の部分はガイドパイプや網状部材で構成してもよし、前面板２３ａと底面板２３ｄだけで構成してもよい。また、キャビネット２０における前述した部分以外の部分についても、本発明の技術的範囲内で適宜変更して実施することができる。
【符号の説明】
【００４８】
２０…キャビネット、２１…キャビネット本体、２１ａ…前面板、２１ｅ…引出し用開口、２２…引出し、２２ｃ…後面板、２３…内引出し、２３ａ…前面板、２３ｇ…下端部、２４…下側レール支持部、２４ａ…上側レール支持部、２５…係合片、２６…ダンパー、２７…後側突出部、２７ａ…後側突出片、２７ｂ…衝撃緩和シート。
【図１】
2014133051.tif 000003
【図２】
2014133051.tif 000004
【図３】
2014133051.tif 000005
【図４】
2014133051.tif 000006
【図５】
2014133051.tif 000007
【図６】
2014133051.tif 000008
【図７】
2014133051.tif 000009